(57)【特許請求の範囲】
【請求項１】
空気中の水分を除湿する除湿手段と、外気を床下に送風する換気手段と、屋外の温度を検知する屋外温度検知手段と、前記屋外温度検知手段の情報によって除湿・換気または停止のいずれか一つの動作モードを決定する演算手段と、各手段を制御する制御手段とを有し、前記屋外温度検知手段を本体内部に備えるとともに、前記演算手段は、屋外の空気の温度が設定温度以上では除湿モード運転を、設定温度未満では停止モード運転を決定する換気除湿装置。
【請求項２】
空気中の水分を除湿する除湿手段と、外気を床下に送風する換気手段と、屋外の温度を検知する屋外温度検知手段および屋外の湿度を検知する屋外湿度検知手段と、前記各検知手段の情報によって除湿・換気または停止のいずれか一つの動作モードを決定する演算手段と、各手段を制御する制御手段とを有し、前記屋外温度検知手段または前記屋外湿度検知手段を本体内部に備えるとともに、前記演算手段は、屋外の空気の温度が設定温度以下では停止モード運転を、屋外の空気の温度および湿度が設定温度以上でかつ設定湿度以上では除湿モード運転を、設定温度以上でかつ設定湿度未満では換気モード運転を決定する換気除湿装置。
【発明の詳細な説明】
【０００１】
【発明の属する技術分野】
本発明は、一般家庭の建物の床下等の空間を換気・除湿する換気除湿装置に関するものである。
【０００２】
【従来の技術】
日本古来の住居に見られる束建て構造の住居は、家屋の床下は通気性が良く、高温多湿の気象条件下での木造住宅の寿命延命に適したものである。近年は床下を布基礎で囲んだいるため、わずかな換気口はあるものの通気性の悪い住宅となっている。
【０００３】
このような理由で、近年、床下の通気を良くするために図３に示している構成の床下用換気扇の使用が増えてきている。１は換気扇本体２の内部に設けている送風機で、吸気口３から床下９の淀んだ空気を吸気し排気口４から排気している。この換気扇本体２は、建物の北側、或いは洗面所・風呂場・台所等の水回りの床下近傍に、建物の基礎６と建物の土台７との間に数カ所設けている換気口１０の一部を利用して設けている。図４はこの床下用換気扇の電気接続を示している。コントローラ１１は複数個設けている換気扇本体２ａ・２ｂ・２ｃの運転を制御するものである。
【０００４】
以上の構成で、コントローラ１１が所定の時刻の間、一般的には外気の湿度が低くなる午前１０時頃から午後４時頃までの間、換気扇本体２を運転する。換気扇本体２が動作すると、矢印ａに示しているように南側屋外の空気が換気口１０から流入し、床下９の淀んだ多湿となっている空気は排気口４から屋外に排出される。この運転を繰り返すことによって、床下９の湿度が低下して、床下９を構成している木材の含水率を低下させ木材の腐朽菌の活動、或いはカビの活動を抑制する。
【０００５】
また、コントローラ１１が湿度センサを内蔵しているものは、雨天時等の、外気の湿度が高い場合には換気扇本体２の運転を停止し、外気が低湿度時である間だけ換気扇本体２を運転するものである。
【０００６】
【発明が解決しようとする課題】
前記従来の構成の床下用換気扇は、換気機能が充分ではないという課題を有している。つまり単に所定の時刻の間毎日換気扇本体２を運転する構成のものは、雨天時など外気の湿度が高い場合には床下に高湿度の外気を取り込むため、逆に床下の湿度を高めることになる。またコントローラ１１が湿度センサを内蔵した構成のものは、梅雨季等の長期の高湿度状態が続く間は運転を停止したままの状態となるものである。
【０００７】
【課題を解決するための手段】
本発明はこのような従来の構成が有している課題を解決するもので、除湿・換気・停止の動作モードを外気の温度条件あるいは湿度条件によって使い分けることのできる換気除湿装置としているものである。
【０００８】
【発明の実施の形態】
請求項１に記載した発明は、空気中の水分を除湿する除湿手段と、外気を床下に送風する換気手段と、屋外の温度を検知する屋外温度検知手段と、前記屋外温度検知手段の情報によって除湿・換気または停止のいずれか一つの動作モードを決定する演算手段と、各手段を制御する制御手段とを有し、前記屋外温度検知手段を本体内部に備えるとともに、前記演算手段は、屋外の空気の温度が設定温度以上では除湿モード運転を、設定温度未満では停止モード運転を決定するものである。
【０００９】
請求項２に記載した発明は、空気中の水分を除湿する除湿手段と、外気を床下に送風する換気手段と、屋外の温度を検知する屋外温度検知手段および屋外の湿度を検知する屋外湿度検知手段と、前記各検知手段の情報によって除湿・換気または停止のいずれか一つの動作モードを決定する演算手段と、各手段を制御する制御手段とを有し、前記屋外温度検知手段または前記屋外湿度検知手段を本体内部に備えるとともに、前記演算手段は、屋外の空気の温度が設定温度以下では停止モード運転を、屋外の空気の温度および湿度が設定温度以上でかつ設定湿度以上では除湿モード運転を、設定温度以上でかつ設定湿度未満では換気モード運転を決定するものである。
【００１０】
【実施例】
以下、本発明の実施例について図１に基づいて説明する。従来例と共通部分は同一番号を付して説明を省略する。１３は換気除湿装置の本体で、（以下単に本体１３と称する）、内部には空気中の水分を除湿する除湿手段１４と、外気を床下に送風する換気手段１５と、屋外の温度を検知する屋外温度検知手段１６と屋外の湿度を検知する屋外湿度検知手段１７（以下単に検知手段と称する）と、前記検知手段の情報によって除湿・換気または停止のいずれか一つの動作モードを決定する演算手段１９と、各手段を制御する制御手段１８とを備えている。
【００１１】
除湿手段１４としては、シリカゲル・ゼオライトなどの吸着剤を使用するもの、あるいは蒸発器・凝縮器・コンプレッサを使用するヒートポンプ式のもの等を使用することができる。換気手段１５としては、送風機を使用している。屋外温度検知手段１６としてはサーミスターを、屋外湿度検知手段１７としては湿度センサを使用している。また本体１３の表面には外気を吸引する吸込口２０を、本体１３の裏面には換気手段１５の送風する空気を床下に送風する送風口２１を設けている。２２は換気口パネルである。
【００１２】
以下本実施例の動作について説明する。
【００１３】
屋外空気の相対湿度は、図２に示しているように変化している。つまり、晴天時には昼間の気温が上昇するとともに低湿となり、夕方の気温の降下とともに高湿となる。また雨天時は、一日中高湿であり、相対湿度も昼間であっても低下せず高湿のままである。また、木材は含水率が２０％以下では木材を腐らせる腐朽菌などの繁殖が鈍化すると言われている。この木材の含水率を２０％以下に維持するためには、木材の周囲の空気の相対湿度が８０％以下であることが必要条件である。従って、換気によって床下環境を相対湿度８０％以下にするためには、例えば相対湿度７０％を設定湿度とすることが考えられる。
【００１４】
そこで本実施例では、演算手段１９は相対湿度７０％を設定基準として有しており、屋外湿度検知手段１７が検知した外気の湿度が前記設定基準以下である場合には晴天と判断するものである。つまりこの場合には、換気モードあるいは停止モードとして動作させている。すなわち、制御手段１８の制御によって換気モード時である場合には換気手段１５を作動させるものである。また停止モード時である場合には、除湿手段１４・換気手段１５を待機状態としているものである。換気手段１５が作動した場合には、吸込口２０から換気手段１５が吸い込んだ低湿の外気を送風口２１から床下に送風するものである。
【００１５】
また設定湿度以上では、演算手段１９は雨天時と判断して除湿モード運転を制御手段１８に指示する。制御手段１８は、除湿手段１４を駆動して屋外の高湿の空気を除湿して低湿として床下に送風する。
【００１６】
また、腐朽菌・カビなどは冬季の低温環境下では活動しにくいものである。このため本実施例では、演算手段１９は１０℃を設定温度として有しており、屋外温度検知手段１６が検知した外気温度が前記設定温度未満である場合には、制御手段１８に停止モード動作を指示するものである。
【００１７】
以上のように本実施例によれば、晴天時には換気モード運転を行い、雨天時には除湿モード運転を行って床下を乾燥するものである。また低湿にするまでもなく腐朽菌・カビなどが活動しにくい冬季等の低温時には、停止モード運転を行うものである。
【００１８】
なおこのとき、前記屋外湿度検知手段１７を使用せずに屋外温度検知手段１６だけを使用する構成とすることもできる。つまり、外気温度を基準にして動作モードを決定するようにしているものである。この場合には、演算手段１９は１０℃を設定温度として有しており、屋外温度検知手段１６が検知した外気温度が前記設定温度未満である場合には、制御手段１８に停止モード動作を指示し、設定温度以上では除湿モード動作を指示するものである。こうして、腐朽菌・カビなどが活動しにくい低温時以外は除湿手段１４によって除湿した乾燥空気を常時床下に送り込むものである。
【００１９】
さらにこのとき、演算手段１９の動作モードの決定を、外気が設定湿度以上の場合には除湿モード運転、設定湿度未満では換気モード運転とすることもできる。つまり、外気が設定湿度未満であっても床下が高湿状態である場合には、この換気モード運転を実行することによって有効に床下の乾燥ができるものである。また外気が設定湿度以上である場合には前記実施例と同様除湿手段１４を動作させるものである。
【００２０】
また、屋外温度検知手段１６と屋外湿度検知手段１７の両方を使用する構成とすることもできる。この場合には、演算手段１９は設定温度と設定湿度の両方を有しているため、外気の温度と湿度の状態に応じて、つまり高温高湿・高温低湿・低温高湿・低温低湿のそれぞれの場合に対応して除湿・換気・停止の各動作モードを選択することができる。
【００２１】
またこのとき、演算手段１９の動作モードの決定を、外気が設定温度以下では停止モード、外気が設定温度以上でかつ設定湿度以上では除湿モード、設定温度以上でかつ設定湿度未満では換気モードとすることもできる。こうした場合には、腐朽菌・カビなどが活動しにくい冬季などの低温時には動作を停止し、晴天時には低湿の外気を床下に送風して床下を乾燥させ、雨天時のような外気が高湿の場合には、除湿手段１４を動作させて乾燥空気を床下に送風することができ、効率の高い運転ができるものである。
【００２２】
なお前記各実施例で使用している換気除湿装置は、１箇所に限定して取り付ける必要はなく、複数箇所に設置すればより効果が大きくなるものである。
【００２３】
【発明の効果】
請求項１に記載した発明は、空気中の水分を除湿する除湿手段と、外気を床下に送風する換気手段と、屋外の温度を検知する屋外温度検知手段と、前記屋外温度検知手段の情報によって除湿・換気または停止のいずれか一つの動作モードを決定する演算手段と、各手段を制御する制御手段とを有し、前記屋外温度検知手段を本体内部に備えるとともに、前記演算手段は、屋外の空気の温度が設定温度以上では除湿モード運転を、設定温度未満では停止モード運転を決定する構成として、腐朽菌・カビなどが活動しにくい低温時以外は除湿モード運転を実行して乾燥空気を床下に送り込んで床下を乾燥し、腐朽菌やカビなどが活動しにくい状態とする換気除湿装置を実現するものである。
【００２４】
請求項２に記載した発明は、空気中の水分を除湿する除湿手段と、外気を床下に送風する換気手段と、屋外の温度を検知する屋外温度検知手段および屋外の湿度を検知する屋外湿度検知手段と、前記各検知手段の情報によって除湿・換気または停止のいずれか一つの動作モードを決定する演算手段と、各手段を制御する制御手段とを有し、前記屋外温度検知手段または前記屋外湿度検知手段を本体内部に備えるとともに、前記演算手段は、屋外の空気の温度が設定温度以下では停止モード運転を、屋外の空気の温度および湿度が設定温度以上でかつ設定湿度以上では除湿モード運転を、設定温度以上でかつ設定湿度未満では換気モード運転を決定する構成として、晴天時には低湿の外気を床下に送風し、雨天時のような外気が多湿の場合には、除湿手段で外気を乾燥して床下に送風し、さらに低温時には停止して、除湿だけでなく換気や停止を入れて効率よく床下を乾燥し、腐朽菌やカビなどの活動しにくい状態にする換気除湿装置を実現するものである。
【図面の簡単な説明】
【図１】  本発明の実施例である換気除湿装置の構成を示すブロック図
【図２】  同、１日の外気の相対湿度の変化を示す湿度変化特性図
【図３】  従来例である床下換気装置の構成を示す断面図
【図４】  同、電気配線を示す接続図
【符号の説明】
１３  本体
１４  除湿手段
１５  換気手段
１６  屋外温度検知手段
１７  屋外湿度検知手段
１８  制御手段
１９  演算手段
【図１】
0003804098.tif 000002
【図２】
0003804098.tif 000003
【図３】
0003804098.tif 000004
【図４】
0003804098.tif 000005